(57)【要約】      （修正有）【課題】プレイヤ及びレシーバにおいて相互にスピーカの固有設定が可能なシステムであって、スピーカの固有設定が適切に行うことができるマルチチャンネル再生システムを提供する。【解決手段】マルチチャンネル再生システムは、プレイヤ１と、レシーバ２と、を備え、プレイヤ１及びレシーバ２は、各スピーカに出力される音声信号に対して所定の信号処理を施すＤＳＰ部１３，２２を有するものであって、レシーバ２は、ＤＳＰ部２２による各スピーカに出力される音声信号に対する所定の信号処理を有効とするか否かを設定可能とされ、プレイヤ１は、レシーバ２から各スピーカに出力される音声信号に対する固有の信号処理を禁止する旨の信号を受信したとき、ＤＳＰ部１３による各スピーカに出力される音声信号に対する所定の信号処理を禁止する。【選択図】図２
2006135371.tif 000002
【特許請求の範囲】
【請求項１】
音源装置と、前記音源装置から出力された音声信号を増幅して、複数のスピーカに出力する増幅装置と、を備え、
前記音源装置及び増幅装置は、前記各スピーカに出力される音声信号に対して前記複数のスピーカの相互の配置に基づく信号処理の条件を入力する入力手段と、前記入力手段によって入力された信号処理の条件に基づいて前記各スピーカに出力される音声信号に対して所定の信号処理を施す信号処理手段とそれぞれを有するマルチチャンネル再生システムであって、
前記増幅装置は、
前記信号処理手段による各スピーカに出力される音声信号に対する所定の信号処理を有効とするか否かを設定可能な設定入力手段と、
前記設定入力手段によって前記各スピーカに出力される音声信号に対する所定の信号処理が有効と設定入力されているとき、前記音源装置に対して前記各スピーカに出力される音声信号に対する所定の信号処理を禁止する旨の信号を送信する通信手段とを備え、
前記音源装置は、
前記通信手段によって前記増幅装置から前記各スピーカに出力される音声信号に対する固有の信号処理を禁止する旨の信号を受信したとき、前記信号処理手段による各スピーカに出力される音声信号に対する所定の信号処理を禁止する禁止制御手段を備えることを特徴とする、マルチチャンネル再生システム。
【請求項２】
前記通信手段は、前記設定入力手段によって前記各スピーカに出力される音声信号に対する所定の信号処理が無効と設定入力されているとき、前記増幅装置の前記入力手段により設定された、前記各スピーカに出力される音声信号に対する所定の信号処理の内容を送信するものであり、
前記音源装置は、
前記通信手段によって前記増幅装置から前記各スピーカに出力される音声信号に対する固有の信号処理の内容を受信したとき、前記信号処理手段による各スピーカに出力される音声信号に対する所定の信号処理の内容を、受信した信号処理の内容に変更する変更制御手段を備える、請求項１に記載のマルチチャンネル再生システム。
【請求項３】
前記入力手段により入力される信号処理の条件は、リスナーと各スピーカとの距離に基づいて各スピーカに対する音声信号に付加される遅延時間である、請求項１又は２に記載のマルチチャンネル再生システム。
【請求項４】
音源装置から出力された音声信号を増幅して、複数のスピーカに出力する増幅装置であって、
前記各スピーカに出力される音声信号に対して前記複数のスピーカの相互の配置に基づく信号処理の条件を入力する入力手段と、
前記入力手段によって入力された信号処理の条件に基づいて前記各スピーカに出力される音声信号に対して所定の信号処理を施す信号処理手段と、
前記信号処理手段による各スピーカに出力される音声信号に対する所定の信号処理を有効とするか否かを設定可能な設定入力手段と、
前記設定入力手段によって前記各スピーカに出力される音声信号に対する所定の信号処理が有効と設定入力されているとき、前記音源装置に対して前記各スピーカに出力される音声信号に対する所定の信号処理を禁止する旨の信号を送信する通信手段と、を備えることを特徴とする、増幅装置。
【請求項５】
前記通信手段は、前記設定入力手段によって前記各スピーカに出力される音声信号に対する所定の信号処理が無効と設定入力されているとき、前記入力手段により設定された、前記各スピーカに出力される音声信号に対する所定の信号処理の内容を送信する、請求項４に記載の増幅装置。
【請求項６】
音声信号を増幅して複数のスピーカに出力する増幅装置に音声信号を出力する音源装置であって、
前記各スピーカに出力される音声信号に対して前記複数のスピーカの相互の配置に基づく信号処理の条件を入力する入力手段と、
前記入力手段によって入力された信号処理の条件に基づいて前記各スピーカに出力される音声信号に対して所定の信号処理を施す信号処理手段と、
前記増幅装置から前記各スピーカに出力される音声信号に対する固有の信号処理を禁止する旨の信号を受信したとき、前記信号処理手段による各スピーカに出力される音声信号に対する所定の信号処理を禁止する禁止制御手段と、を備えることを特徴とする、音源装置。
【請求項７】
前記増幅装置から前記各スピーカに出力される音声信号に対する固有の信号処理の内容を受信したとき、前記信号処理手段による各スピーカに出力される音声信号に対する所定の信号処理の内容を、受信した信号処理の内容に変更する変更制御手段を備える、請求項６に記載の音源装置。
【発明の詳細な説明】
【技術分野】
【０００１】
本願発明は、マルチチャンネルの音声信号を外部に出力するためのマルチチャンネル再生システム、それに用いられる音源装置、及び増幅装置に関するものである。
【背景技術】
【０００２】
従来、マルチチャンネルの音声信号を外部に出力するためのマルチチャンネル再生システムが提案されている（例えば、特許文献１参照。）。
【０００３】
【特許文献１】特開２０００−２１７１９７号公報
【０００４】
このマルチチャンネル再生システムは、図９に示すように、例えばＤＶＤ（digital versatile disc）−ＡＵＤＩＯやＳＡＣＤ（super audio compact disc）といった音声記録媒体を再生するための音源装置としてのプレイヤ３０、それに接続される増幅装置（例えばアンプ）として機能するレシーバ４０、及びそれに接続されるスピーカ群５０によって構成される。
【０００５】
プレイヤ３０は、制御中枢となる制御部３１、音声記録媒体であるディスクを再生するためのディスク機構部３２、制御部３１における制御を入力操作するための操作部３３、及びディスク機構部３２から出力される音声信号に対して所定の信号処理を行うＤＳＰ（digital signal processor）部３４等によって構成されている。
【０００６】
レシーバ４０は、制御中枢となる制御部４１、制御部４１における制御を入力操作するための操作部４２、プレイヤ３０から出力される音声信号を対して所定の信号処理を行うＤＳＰ部４３、及び音声信号を増幅するアンプ部４４等によって構成されている。
【０００７】
また、スピーカ群５０としては、例えばリスナーの前方に配置される３個（左、中央、右）のフロントスピーカＬ，Ｃ，Ｒ及び１個のサブウーファーＳＷ、並びにリスナーの両横後方に配置される２個（左、右）のサラウンドスピーカＳＬ，ＳＲからなる。各スピーカに対して所定の音声信号が出力されることにより、いわゆる５．１チャンネルのマルチチャンネル構成が実現され、例えば一般家庭でも臨場感あふれる音場による音声体験が可能になっている。
【０００８】
通常、このようなマルチチャンネル再生システムでは、各スピーカを接続するレシーバ４０において、リスナーが適切な臨場感を得るために各スピーカにおける固有の設定が必要とされている。各スピーカにおける固有の設定項目としては、「スピーカの有無」、「スピーカのサイズ」、「スピーカとリスナーとの距離」、及び「スピーカの出力音量」等が挙げられ、これらはＤＳＰ部４３に対して設定される。
【０００９】
ここで、「スピーカの有無」とは、音声を出力させるスピーカを設定するものであり、例えば「有り」と設定されたスピーカは、それから音声が出力され、「無し」と設定されたスピーカは、それから音声が出力されないことを表す。すなわち、この「スピーカの有無」の設定は、例えば２チャンネルで音声信号を出力させる場合に用いられる。
【００１０】
「スピーカのサイズ」とは、音声信号の低域成分を出力させるか否かを設定するものであり、例えば低域成分を出力可能なスピーカに対してはその旨を表す「ラージ」に設定され、低域成分を出力しないスピーカに対してはその旨を表す「スモール」に設定される。
【００１１】
「スピーカとリスナーとの距離」とは、文字どおり、リスナーからスピーカに至る距離が設定され、ＤＳＰ部４３では、操作部４２において入力されたスピーカの距離が当該スピーカに対応する音声信号の遅延時間に換算されて設定される。
【００１２】
「スピーカの出力音量」とは、各スピーカから出力される音量を表すものであり、例えばリスナーの聴取位置において各スピーカから出力される音量が等しくなるように設定される。
【発明の開示】
【発明が解決しようとする課題】
【００１３】
ここで、上記した各スピーカの固有の設定は、上記レシーバ４０だけでなく、ＤＶＤ−ＡＵＤＩＯ等のディスクを再生するプレイヤ３０において可能な場合もある。そのため、リスナーは、誤ってプレイヤ３０及びレシーバ４０の双方に対して各スピーカの固有の設定を行うことがある。プレイヤ３０及びレシーバ４０の双方に対して各スピーカの固有の設定を行うと、各スピーカから適切なマルチチャンネルの音声信号が出力されないことが生じる。
【００１４】
図１０は、プレイヤ３０及びレシーバ４０の双方において各スピーカの固有の設定を行った場合の各スピーカから出力される音声信号の遅延時間を示す図である。同図によると、リスナーは、プレイヤ３０及びレシーバ４０のそれぞれにおいて遅延時間に相当する距離を設定すると、各スピーカからは、プレイヤ３０のディスク機構部３２から出力される音声信号に対して、上記遅延時間が加算された音声信号が出力される。例えば、左フロントスピーカＬに出力される音声信号に対しては、プレイヤ１において遅延時間が２０ｍｓｅｃに設定され、レシーバ２において遅延時間が２０ｍｓｅｃに設定されると、左フロントスピーカＬからは、遅延時間が４０ｍｓｅｃに設定された音声信号が出力される。そのため、リスナーは、不適切なマルチチャンネルの音声信号を聴取することになる。
【００１５】
このように、プレイヤ３０及びレシーバ４０の双方において各スピーカの固有の設定を行い得る場合に、片方の機器に対する設定でよいときがある。そのため、リスナーは、適正なスピーカの固有設定を行うためには、上記のような事情を予め知っておかなければならず、例えばスピーカの固有設定を初めて行うリスナーには、極めて不親切な構成になっている場合があった。
【００１６】
また、プレイヤ３０及びレシーバ４０の双方において各スピーカの固有の設定を行い得る場合、プレイヤ３０及びレシーバ４０のそれぞれにおいて、各スピーカの固有設定を行うと、いずれか一方の機器におけるスピーカの固有設定は無駄になる。
【００１７】
本願発明は、上記した事情のもとで考え出されたものであって、プレイヤ及びレシーバにおいて相互にスピーカの固有設定が可能なシステムであって、スピーカの固有設定が適切に行うことができるマルチチャンネル再生システムを提供することを、その課題とする。
【課題を解決するための手段】
【００１８】
上記の課題を解決するため、本願発明では、次の技術的手段を講じている。
【００１９】
本願発明の第１の側面によって提供されるマルチチャンネル再生システムは、音源装置と、前記音源装置から出力された音声信号を増幅して、複数のスピーカに出力する増幅装置と、を備え、前記音源装置及び増幅装置は、前記各スピーカに出力される音声信号に対して前記複数のスピーカの相互の配置に基づく信号処理の条件を入力する入力手段と、前記入力手段によって入力された信号処理の条件に基づいて前記各スピーカに出力される音声信号に対して所定の信号処理を施す信号処理手段とそれぞれを有するマルチチャンネル再生システムであって、前記増幅装置は、前記信号処理手段による各スピーカに出力される音声信号に対する所定の信号処理を有効とするか否かを設定可能な設定入力手段と、前記設定入力手段によって前記各スピーカに出力される音声信号に対する所定の信号処理が有効と設定入力されているとき、前記音源装置に対して前記各スピーカに出力される音声信号に対する所定の信号処理を禁止する旨の信号を送信する通信手段とを備え、前記音源装置は、前記通信手段によって前記増幅装置から前記各スピーカに出力される音声信号に対する固有の信号処理を禁止する旨の信号を受信したとき、前記信号処理手段による各スピーカに出力される音声信号に対する所定の信号処理を禁止する禁止制御手段を備えることを特徴としている（請求項１）。
【００２０】
この発明によれば、増幅装置において各スピーカに出力される音声信号に対する所定の信号処理が有効と設定入力されているとき、音源装置に対して各スピーカに出力される音声信号に対する所定の信号処理を禁止する旨の信号が送信される。音源装置では、増幅装置から各スピーカに出力される音声信号に対する固有の信号処理を禁止する旨の信号を受信したとき、各スピーカに出力される音声信号に対する所定の信号処理が禁止される。すなわち、マルチチャンネル再生システム全体として、各スピーカに出力される音声信号に対する所定の信号処理が一度だけ施されることとなり、音源装置及び増幅装置の双方において加工処理が施されることがなくなる。また、リスナーが誤って音源装置及び増幅装置の双方において各スピーカにおける固有の設定を行っても、双方の設定がともに有効とされることがない。したがって、リスナーは、適切なマルチチャンネル音声信号を聴取でき、臨場感のある音場を体感することができる。
【００２１】
好ましい実施の形態によれば、前記通信手段は、前記設定入力手段によって前記各スピーカに出力される音声信号に対する所定の信号処理が無効と設定入力されているとき、前記増幅装置の前記入力手段により設定された、前記各スピーカに出力される音声信号に対する所定の信号処理の内容を送信するものであり、前記音源装置は、前記通信手段によって前記増幅装置から前記各スピーカに出力される音声信号に対する固有の信号処理の内容を受信したとき、前記信号処理手段による各スピーカに出力される音声信号に対する所定の信号処理の内容を、受信した信号処理の内容に変更する変更制御手段を備えるとよい（請求項２）。
【００２２】
この発明によれば、増幅装置において各スピーカに出力される音声信号に対する所定の信号処理が無効と設定入力されているとき、音源装置に対して各スピーカに出力される音声信号に対する所定の信号処理の内容が送信される。音源装置では、増幅装置から各スピーカに出力される音声信号に対する固有の信号処理の内容が、受信した信号処理の内容に変更される。この場合も、マルチチャンネル再生システム全体として、各スピーカに出力される音声信号に対する所定の信号処理が一度だけ施されることとなり、音源装置及び増幅装置の双方において加工処理が施されることがなくなる。したがって、リスナーは、適切なマルチチャンネル音声信号を聴取でき、臨場感のある音場を体感することができる。
【００２３】
好ましい実施の形態によれば、前記入力手段により入力される信号処理の条件は、リスナーと各スピーカとの距離に基づいて各スピーカに対する音声信号に付加される遅延時間であるとよい（請求項３）。
【００２４】
本願発明の第２の側面によって提供される増幅装置は、音源装置から出力された音声信号を増幅して、複数のスピーカに出力する増幅装置であって、前記各スピーカに出力される音声信号に対して前記複数のスピーカの相互の配置に基づく信号処理の条件を入力する入力手段と、前記入力手段によって入力された信号処理の条件に基づいて前記各スピーカに出力される音声信号に対して所定の信号処理を施す信号処理手段と、前記信号処理手段による各スピーカに出力される音声信号に対する所定の信号処理を有効とするか否かを設定可能な設定入力手段と、前記設定入力手段によって前記各スピーカに出力される音声信号に対する所定の信号処理が有効と設定入力されているとき、前記音源装置に対して前記各スピーカに出力される音声信号に対する所定の信号処理を禁止する旨の信号を送信する通信手段と、を備えることを特徴としている（請求項４）。
【００２５】
好ましい実施の形態によれば、前記通信手段は、前記設定入力手段によって前記各スピーカに出力される音声信号に対する所定の信号処理が無効と設定入力されているとき、前記入力手段により設定された、前記各スピーカに出力される音声信号に対する所定の信号処理の内容を送信するとよい（請求項５）。
【００２６】
本願発明の第３の側面によって提供される音源装置は、音声信号を増幅して複数のスピーカに出力する増幅装置に音声信号を出力する音源装置であって、前記各スピーカに出力される音声信号に対して前記複数のスピーカの相互の配置に基づく信号処理の条件を入力する入力手段と、前記入力手段によって入力された信号処理の条件に基づいて前記各スピーカに出力される音声信号に対して所定の信号処理を施す信号処理手段と、前記増幅装置から前記各スピーカに出力される音声信号に対する固有の信号処理を禁止する旨の信号を受信したとき、前記信号処理手段による各スピーカに出力される音声信号に対する所定の信号処理を禁止する禁止制御手段と、を備えることを特徴としている（請求項６）。
【００２７】
好ましい実施の形態によれば、前記増幅装置から前記各スピーカに出力される音声信号に対する固有の信号処理の内容を受信したとき、前記信号処理手段による各スピーカに出力される音声信号に対する所定の信号処理の内容を、受信した信号処理の内容に変更する変更制御手段を備えるとよい（請求項７）。
【００２８】
本願発明のその他の特徴及び利点は、添付図面を参照して以下に行う詳細な説明によって、より明らかとなろう。
【発明を実施するための最良の形態】
【００２９】
以下、本願発明の好ましい実施の形態を、添付図面を参照して具体的に説明する。
【実施例１】
【００３０】
図１は、本願発明にかかるマルチチャンネル再生システムを示す構成図である。このマルチチャンネル再生システムは、いわゆるホームシアター等に用いられ、複数のスピーカからマルチチャンネルで音声信号を出力させるものである。
【００３１】
このマルチチャンネル再生システムは、ＤＶＤ−ＡＵＤＩＯやＳＡＣＤといった音声記録媒体としてのディスク３を再生する音源装置としてのプレイヤ１、それに接続された増幅装置としてのレシーバ２、及びレシーバ２に接続されたスピーカ群によって構成されている。
【００３２】
スピーカ群は、図１に示すように、例えばリスナーの前方左右、中央に配置された３個のフロントスピーカＬ，Ｒ，Ｃ及び１個のサブウーファーＳＷ、並びにリスナーの左右後方に配置された２個のサラウンドスピーカＳＬ，ＳＲによって構成される。
【００３３】
スピーカ群は、リスナーの聴取位置に対して臨場感のある音場を実現すべき理想的な設置位置が予め決められているが、家庭内における配置事情によって、各スピーカを適切な位置に配置できない場合もある。そのため、プレイヤ１又はレシーバ２において各スピーカから出力される音声信号に対して所定の加工処理を施すことにより、リスナーが臨場感のある音場で聴取できるようにされている。プレイヤ１又はレシーバ２では、所定の加工処理を施すための固有の設定が可能とされている（詳細は後述）。
【００３４】
図２は、プレイヤ１及びレシーバ２の内部構成を示す図である。プレイヤ１は、ディスク３を再生するためのものである。プレイヤ１は、制御部１１、ディスク機構部１２、ＤＳＰ部１３、及び操作部１４によって構成されている。なお、プレイヤ１は、外部電波を受信するチューナ機能を備え、受信された外部電波の音声信号が音源として用いられてもよい。
【００３５】
制御部１１は、プレイヤ１の制御中枢となるものであり、例えばマイクロコンピュータによって構成されている。制御部１１は、図示しないメモリに記憶された制御プログラム、及び操作部１４から送られる操作信号等に基づいて、ディスク機構部１２の図示しないヘッド及びモータ等の駆動を制御し、ディスク３からのデータの読取処理を制御したり、ＤＳＰ部１３における処理を制御したりする。
【００３６】
また、制御部１１は、レシーバ２との通信機能を有している。すなわち、制御部１１は、レシーバ２からの所定の制御コマンドをケーブルＣ1及び接続端子ｔ1を介して受信すると、その制御コマンドに応じた処理を行う。制御コマンドの内容としては、例えば、メモリに記憶される、各スピーカにおける固有の設定内容を変化させるものが挙げられる。また、制御部１１は、接続端子ｔ1及びケーブルＣ1を介してレシーバ２に対して所定の制御コマンドを送信する。
【００３７】
ディスク機構部１２は、ディスク３を再生するために、ディスク３に対するデータの読み取りを行うための必要な構成要素を駆動させるための機械的な構成部分である。例えば、ディスク機構部１２は、図２に示していないが、データの再生を行うためのヘッド、データの再生時に当該ディスク３を回転させるためのモータ、ヘッドをディスク３の径方向に移動させるためのアクチュエータ等を備えている。
【００３８】
ＤＳＰ部１３は、ディスク機構部１２から出力されるディジタルの音声信号に対して所定の演算処理を施すためのものである。例えば、ＤＳＰ部１３では、入力されるディジタルの音声信号に対してフィルタリング処理等が施されたり、メモリ（後述）に記憶された各スピーカに対する固有の設定内容に応じて所定の加工処理（遅延処理を含む）が施されたりし、これにより、各スピーカに対するアナログのマルチチャンネルの音声信号が生成される。ＤＳＰ部１３から出力されるアナログのマルチチャンネルの音声信号は、出力端子ｔ2〜ｔ7に接続され、ケーブルＣ2を介してレシーバ２に送られる。
【００３９】
また、ＤＳＰ部１３は、図示しないメモリを有しており、メモリには、各スピーカにおける固有の設定内容が記憶される。各スピーカに対する固有の設定内容は、リスナーによって操作部１４を用いて設定入力されるものであり、「背景技術」の欄で述べたように、「スピーカの有無」、「スピーカのサイズ」、「スピーカとリスナーとの距離」、及び「スピーカ出力音量」等が挙げられる。
【００４０】
このメモリに記憶される各スピーカに対する固有の設定内容は、レシーバ２から送られる制御コマンドによってオフ（設定が無効となること）にされたり、設定内容そのものが変化されたりする。
【００４１】
操作部１４は、図示しないボタンや表示器を有し、リスナーが表示器に表示された案内表示に応じてボタンを操作することによって各種の設定が入力されるものである。この操作部１４における操作による操作信号は、制御部１１に送られ、制御部１１において当該操作信号に応じた所定の処理（例えば、ディスク３の再生動作を開始させる等の処理）が行われる。
【００４２】
一方、レシーバ２は、主にプレイヤ１からのアナログの音声信号を増幅して各スピーカに対して出力するものである。レシーバ２は、制御部２１、ＤＳＰ部２２、アンプ部２３、信号切換部２４、及び操作部２５によって構成されている。
【００４３】
制御部２１は、レシーバ２の制御中枢となるものであり、例えばマイクロコンピュータによって構成されている。制御部１１は、図示しないメモリに記憶された制御プログラム、及び操作部２５から送られる操作信号等に基づいて、信号切換部２４における切換動作を制御したり、アンプ部２３における増幅動作を制御したり、ＤＳＰ部２２における処理を制御したりする。
【００４４】
また、制御部２１は、プレイヤ１との通信機能を有している。すなわち、制御部２１は、接続端子ｔ8及びケーブルＣ1を介してプレイヤ１に対して所定の制御コマンドを送信する。例えば、プレイヤ１において設定されている各スピーカにおける固有の設定をオフする旨を制御コマンドにして送信する。あるいは、制御部２１は、レシーバ２において設定されている各スピーカに対する固有の設定内容をプレイヤ１にデータとして送信する。また、制御部２１は、プレイヤ１からの所定の制御コマンドをケーブルＣ1及び接続端子ｔ8を介して受信すると、その制御コマンドに応じた処理を行う。
【００４５】
ＤＳＰ部２２は、プレイヤ１から信号切換部２４を介して送られるアナログのマルチチャンネルの音声信号に対して、メモリ（後述）に記憶された各スピーカにおける固有の設定内容に応じて、所定の加工処理を施すものである。ＤＳＰ部２２から出力されるアナログのマルチチャンネルの音声信号は、アンプ部２３に送られる。
【００４６】
ＤＳＰ部２２は、図示しないメモリを有しており、メモリには、操作部２５を用いてリスナーによって設定された、各スピーカにおける固有の設定内容が記憶される。すなわち、本実施形態では、各スピーカにおける固有の設定内容は、レシーバ２において設定可能であるとともに、プレイヤ１のＤＳＰ部１３においても設定可能とされている。
【００４７】
アンプ部２３は、アナログのマルチチャンネルの音声信号を増幅するものである。アンプ部２３は、制御部２１からの制御信号によりその音声信号の増幅度を変化させることができる機能を有する。増幅されたアナログの音声信号は、各スピーカに対応した出力端子ｔ9〜ｔ14に送られ、それに接続されたケーブルＣ3（図１参照）を介して各スピーカに出力される。
【００４８】
操作部２５は、図示しないボタンや表示器を有し、リスナーが表示器に表示された案内表示に応じてボタンを操作することによって各種の設定が入力されるものである。この操作部２５における操作による操作信号は、制御部２１に送られ、制御部２１において当該操作信号に応じた所定の処理が行われる。
【００４９】
この操作部２５においては、リスナーが操作することによって、各スピーカにおける固有の設定入力が可能とされている。また、操作部２５においては、リスナーが操作することによって、各スピーカにおける固有の設定を有効にするか否かを設定入力することが可能とされている。
【００５０】
信号切換部２４は、制御部２１からの制御信号に基づいて、プレイヤ１からケーブルＣ2及び入力端子ｔ15〜ｔ20を介して入力されるアナログのマルチチャンネルの音声信号をＤＳＰ部２２側又はアンプ部２３側に切り換えるものである。
【００５１】
例えば、信号切換部２４は、操作部２５におけるリスナーの操作によって各スピーカに対する固有の設定を有効とする旨に設定されている場合、図３に示すように、プレイヤ１からのマルチチャンネル音声信号をＤＳＰ部２２に入力させるように切り換える。そのため、プレイヤ１からのマルチチャンネル音声信号は、メモリに記憶された各スピーカに対する固有の設定内容に応じて、ＤＳＰ部２２によって所定の加工処理が施され、アンプ部２３に送られる。
【００５２】
一方、信号切換部２４は、操作部２５におけるリスナーの操作によって各スピーカに対する固有の設定を無効とする旨に設定されている場合、図４に示すように、プレイヤ１からのマルチチャンネル音声信号をアンプ部２３に入力させるように切り換える。そのため、プレイヤ１からのマルチチャンネル音声信号は、ＤＳＰ部２２によって所定の加工処理が施されずに、直接的にアンプ部２３に送られる。
【００５３】
次に、上記構成における作用を、図５及び図６に示すフローチャートを参照して説明する。
【００５４】
ここでは、レシーバ２において、リスナーによって各スピーカに対する固有の設定がされているものとする。また、レシーバ２において、各スピーカに対する固有の設定が有効であるか否かの設定もされているものとする。
【００５５】
まず、レシーバ２における制御動作について説明する。レシーバ２の電源が投入されると、ＤＳＰ部２２において各スピーカにおける固有の設定がなされているか否かが判別される（Ｓ１）。各スピーカにおける固有の設定がなされていると判別されれば（Ｓ１：ＹＥＳ）、各スピーカにおける固有の設定が有効とされているか否かが判別される（Ｓ２）。
【００５６】
各スピーカにおける固有の設定が有効と設定されている場合（Ｓ２：ＹＥＳ）、信号切換部２４のスイッチ設定がＤＳＰ部２２側に切り換えられる（Ｓ３）。そして、プレイヤ１の電源が投入されているか否かが判別される（Ｓ４）。プレイヤ１の電源が投入されていると判別される場合（Ｓ４：ＹＥＳ）、プレイヤ１に対して各スピーカの固有の設定をオフにする旨の制御コマンドが送信される（Ｓ５）。
【００５７】
また、ステップＳ２において、各スピーカにおける固有の設定が有効と設定されていない場合（Ｓ２：ＮＯ）、すなわち、各スピーカにおける固有の設定が無効と設定されている場合、信号切換部２４のスイッチ設定がアンプ部２３側に切り換えられる（Ｓ６）。そして、プレイヤ１の電源が投入されているか否かが判別される（Ｓ７）。プレイヤ１の電源が投入されていると判別される場合（Ｓ７：ＹＥＳ）、プレイヤ１に対してＤＳＰ部２２に設定されている、各スピーカの固有の設定内容が制御コマンドにして送信される（Ｓ８）。
【００５８】
一方、プレイヤ１においては、図６に示すように、電源が投入されると、レシーバ２から各スピーカにおける固有の設定についての制御コマンドが送られてきたか否かの判別が行われる（Ｓ１１）。レシーバ２から各スピーカにおける固有の設定についての制御コマンドが送られてきたと判別されたとき（Ｓ１１：ＹＥＳ）、各レシーバ２からの制御コマンドに基づいて、各スピーカにおける固有の設定についての変更設定が行われる（Ｓ１２）。
【００５９】
すなわち、図５のステップＳ５に示すように、プレイヤ１に対して各スピーカにおける固有の設定をオフにする旨の制御コマンドが送信されれば、プレイヤ１では、ＤＳＰ部１３において各スピーカにおける固有の設定が無効になるようにされる。これにより、プレイヤ１のＤＳＰ部１３では、ディスク機構部１２から出力される音声信号に対して各スピーカにおける固有の設定についての処理が行われなくなり、音声信号は、そのままレシーバ２に送られる。
【００６０】
このとき、レシーバ２では、各スピーカにおける固有設定が有効とされているため、プレイヤ１から送られる音声信号は信号切換部２４のスイッチ設定によってＤＳＰ部２２に向かい、ＤＳＰ部２２において各スピーカにおける固有の設定に基づく加工処理が施される。加工処理が施された音声信号は、アンプ部２３によって増幅され、各スピーカに出力される。
【００６１】
すなわち、システム全体としては、図７に示すように、レシーバ２において加工処理が一度だけ施されることとなり、プレイヤ１及びレシーバ２の双方において加工処理が施されることがなくなる。例えば、左フロントスピーカＬに出力される音声信号に対しては、プレイヤ１において遅延時間が０ｍｓｅｃにされる一方、レシーバ２において遅延時間が２０ｍｓｅｃに設定され、左フロントスピーカＬからは、遅延時間が２０ｍｓｅｃに設定された音声信号が出力される。また、リスナーが誤ってプレイヤ１及びレシーバ２の双方において各スピーカにおける固有の設定を行っても、双方の設定がともに有効とされることがない。したがって、リスナーは、適切なマルチチャンネル音声信号を聴取でき、臨場感のある音場を体感することができる。
【００６２】
また、図５のステップＳ８に示すように、プレイヤ１に対して各スピーカにおける固有の設定内容が制御コマンドにして送信されれば、プレイヤ１では、各スピーカにおける固有の設定の内容が、レシーバ２から送られた固有設定の内容に変更される。これにより、プレイヤ１のＤＳＰ部１３では、ディスク機構部１２から出力される音声信号に対して、変更された固有設定に基づく加工処理が施され、レシーバ２に送られる。
【００６３】
このとき、レシーバ２では、各スピーカにおける固有設定が無効とされているため、プレイヤ１から送られる音声信号は信号切換部２４のスイッチ設定によってアンプ部２３に向かう。つまり、ＤＳＰ部２２を通過しないで、直接的にアンプ部２３によって増幅され、各スピーカに出力される。
【００６４】
すなわち、システム全体とすれば、図８に示すように、プレイヤ１において加工処理が一度だけ施されることとなり、プレイヤ１及びレシーバ２の双方において加工処理が施されることがなくなる。例えば、左フロントスピーカＬに出力される音声信号に対しては、プレイヤ１において遅延時間が２０ｍｓｅｃに設定される一方、レシーバ２において遅延時間が０ｍｓｅｃとされ、左フロントスピーカＬからは、遅延時間が２０ｍｓｅｃに設定された音声信号が出力される。また、リスナーが誤ってプレイヤ１及びレシーバ２の双方において各スピーカにおける固有の設定を行っても、双方の設定がともに有効とされることがない。したがって、リスナーは、適切なマルチチャンネル音声信号を聴取でき、臨場感のある音場を体感することができる。
【００６５】
なお、プレイヤ１において、ＤＳＰ部１３の各スピーカにおける固有の設定が無効になるようにされると、ＤＳＰ部１３で予め設定されている各スピーカにおける固有設定のデフォルト値がキャンセルされる。そのため、レシーバ２において音声信号の加工処理が施される場合に、プレイヤ１で予め設定されているデフォルト値が加算されることはない。
【００６６】
すなわち、プレイヤ１においては、デフォルト値として、スピーカＬ，Ｒの遅延時間が０．１ｍｓｅｃになるようにリスナーとスピーカＬ，Ｒとの距離が設定されている場合がある（スピーカＣ，ＳＬ，ＳＲの遅延時間は０ｍｓｅｃ）。この場合、上記のようにレシーバ２のＤＳＰ部２２において音声信号の加工処理が行われるときには、プレイヤ１のＤＳＰ部１３の各スピーカにおける固有の設定が無効になるようにされるので、デフォルト値の遅延時間が全て０ｍｓｅｃとなり、各スピーカに出力される音声信号に影響を及ぼすことがなくなる。
【００６７】
もちろん、この発明の範囲は上述した実施の形態に限定されるものではない。例えば、上記した実施形態では、レシーバ２からプレイヤ１に対してＤＳＰ部１３の設定内容を制御する構成としたが、これに代えて、プレイヤ１からレシーバ２に対してＤＳＰ部２２の設定内容を制御する構成としてもよい。
【図面の簡単な説明】
【００６８】
【図１】本願発明にかかるマルチチャンネル再生システムを示す構成図である。
【図２】プレイヤ及びレシーバの内部構成を示す図である。
【図３】信号切換部におけるスイッチ設定を示す図であり、音声信号がＤＳＰ部に向かうように切り換えられた場合を示す図である。
【図４】信号切換部におけるスイッチ設定を示す図であり、音声信号がアンプ部に向かうように切り換えられた場合を示す図である。
【図５】レシーバの制御動作を示すフローチャートである。
【図６】プレイヤの制御動作を示すフローチャートである。
【図７】各スピーカと音声信号の遅延時間との関係を示す図であり、レシーバにおける設定が有効とされる場合の図である。
【図８】各スピーカと音声信号の遅延時間との関係を示す図であり、プレイヤにおける設定が有効とされる場合の図である。
【図９】従来の、マルチチャンネル再生システムを示す構成図である。
【図１０】従来の、各スピーカと音声信号の遅延時間との関係を示す図である。
【符号の説明】
【００６９】
１  プレイヤ
２  レシーバ
３  ディスク
１１  制御部（プレイヤの）
１２  ディスク機構部
１３  ＤＳＰ部（プレイヤの）
１４  操作部（プレイヤの）
２１  制御部（レシーバの）
２２  ＤＳＰ部（レシーバの）
２３  アンプ部
２４  信号切換部
２５  操作部（レシーバの）
Ｌ  左フロントスピーカ
Ｃ  センタースピーカ
Ｒ  右フロントスピーカ
ＳＷ  サブウーファー
ＳＬ  左サラウンドスピーカ
ＳＲ  右サラウンドスピーカ
【図１】
2006135371.tif 000003
【図２】
2006135371.tif 000004
【図３】
2006135371.tif 000005
【図４】
2006135371.tif 000006
【図５】
2006135371.tif 000007
【図６】
2006135371.tif 000008
【図７】
2006135371.tif 000009
【図８】
2006135371.tif 000010
【図９】
2006135371.tif 000011
【図１０】
2006135371.tif 000012